(57)【特許請求の範囲】
【請求項１】
少なくとも、包装体のエッジ部(４４，４５)を形成する折り曲げフラップ‐端部フラップ(２７，２８)‐を折り曲げる間、製造対象である包装体のエッジ部(４４，４５)の区域に、折り曲げ補助部材、特に、エッジ部支持部材(４０，４１)が設けられ、端部フラップ(２７，２８)が前記エッジ部支持部材(４０，４１)の周囲に折り曲げられることができる点に特徴を有する、包装体の内容物、特に、パックのグループの周囲に折り曲げられることができる外側包装材を備え、直方体の(シガレット)包装体を、容器‐折り曲げアセンブリー‐折り曲げタレット‐のポケット内で製造し、こうして、不可欠の要件として直角をなすパックエッジ部を形成する、直方体状の(シガレット)包装体の製造装置。
【請求項２】
下記の(ａ)(ｂ)(ｃ)に特徴を有する請求項１記載の装置。
(ａ)折り曲げタレット(１５)の各ポケット(１７)が、エッジ部支持部材(４０，４１)に割り当てられる、
(ｂ)エッジ部支持部材(４０，４１)は、ポケットの側方境界として、それぞれのポケット(１７)の一部である、
(ｃ)折り曲げ手順、すなわち、端部フラップ(２７，２８)の折り曲げが完了した後、前記エッジ部支持部材(４０，４１)が、特に、包装体(１０)をポケット(１７)から放出または押し出すことによって、支持位置から退去されることができる、
【請求項３】
ポケット(１７)の両側に２つのウエブ状のエッジ部支持部材(４０，４１)が互いに離間して設けられ、これらは横断方向ウエブ(４６)によって互いに接続されて一つのフォーク状ユニットを形成し、エッジ部支持部材(４０，４１)の外方または上方および下方を指向する折り曲げエッジ部(４２，４３)は、それぞれ、包装体エッジ部(４４，４５)を形成するために機能する点に特徴を有する請求項１記載の装置。
【請求項４】
エッジ部支持部材(４０，４１)は、ポケット(１７)に移動可能におよび／または弾性変形可能に設けられる点、および、
包装体の内容物のための挿入ステーション(１９)の区域において、横方向に配置されたエッジ部支持部材(４０，４１)が、ポケット(１７)の挿入側に向かって拡大する漏斗状の開口状態に移行する点に特徴を有する請求項１記載の装置。
【請求項５】
下記の(ａ)(ｂ)に特徴を有する請求項４記載の装置。
(ａ)エッジ部支持部材(４０，４１)は、ポケット(１７)が挿入ステーション(１９)に向かって移動する間、エッジ部支持部材(４０，４１)をストッパーに向かって案内することによって、移動または変形されることができる、
(ｂ)ストッパーの上流側、特に、ストッパーとして機能する側部折り曲げ部材(２４)の上流側に、変形部材すなわち楔状をなす定形部片(４７)が設けられ、その結果として、エッジ部支持部材(４０，４１)は、ポケット(１７)の移動方向に弾性変形を発生する、
【発明の詳細な説明】
【０００１】
【発明の属する技術分野】
この発明は、包装体の内容物、特に、パックのグループの周囲に折り曲げられることができる外側包装材を備える直方体の(シガレット)包装体を、容器‐折り曲げアセンブリー‐折り曲げタレット‐のポケット内で製造し、こうして、不可欠の要件として直角をなすパックエッジ部を形成する装置に関する。
【０００２】
【従来の技術】
包装体、特に、シガレット用のバンドル包装体の外側包装材は、何よりも断面が直角の正確に折り曲げられた包装体のエッジ部を備えなければならない。内容物が正確には直方体を形成しないか、直角なエッジ部によって区画されない包装体、特に、丸いパックエッジ部‐丸いコーナーパック‐を備えるシガレットパックのグループを有するバンドル包装体を製造する間は、断面が直角の包装体エッジ部を形成することに問題が多い。
【０００３】
【発明が解決しようとする課題】
この発明は、包装体の内容物とは独立に包装体のエッジ部を正確に形成することを可能にする手法を見出すという課題に立脚する。
【０００４】
【課題を解決するための手段】
この問題を解決するために、この発明の装置は、折り曲げアセンブリーの各ポケットがエッジ部支持部材を有し、外側包装材が前記の支持部材の周囲で折り曲げられ、前記支持部材はその後で支持位置から取り出される点に特徴を有する。
【０００５】
この発明によれば、外側包装材用のブランクが、通常の場合のように、包装体のエッジ部の区域においても、包装体の内容物の周囲において直接には折り曲げられないということになる。この発明は、その代わりに、支持部材が包装体のエッジ部に、これらの支持部材が、この区域におけるブランクの折り曲げを可能とするように造形されて設けられ、その結果、正確に規定された包装体のエッジ部が形成される。
【０００６】
シガレット用のバンドル包装体を製造する間、この発明は、エッジ部支持部材を、バンドル包装体の端部壁の上方と下方の側部エッジ部の区域に配置する。(完成した)包装体は、折り曲げタレットのそれぞれのポケットから放出され、折り曲げタレットまたはそのポケットに接続されたエッジ部の支持部は、包装体内部のそれらの支持位置から引き出される。
【０００７】
この発明の他の様相は、折り曲げアセンブリーすなわち製造作業中の折り曲げタレットの個々の細部、すなわち、バンドル包装体の外側包装材用のブランクの折り曲げに関する。
【０００８】
この装置の一模範具体例を添付図面を援用しつつ以下により詳細に説明する。
【０００９】
【発明の実施の形態】
添付図面の模範具体例は、シガレット用のバンドル包装体１０‐いわゆるシガレットカートンの製造に関する。シガレットパック１１のグループすなわちパックグループ１２は、その周囲全体が紙、薄いカードボード等から製造されるブランク内に包まれる筈であり、前記ブランク１３は最終的にバンドルパック１０の外側包装材１４を形成する。
【００１０】
バンドル包装体１０の製造には図１の装置が採用される。この装置はＥＰ第０１７４５９１号に対応することが必須要件である。したがって、２つの折り曲げアセンブリー、すなわち第一の折り曲げタレット１５と第二の折り曲げタレット１６が設けられる。これらのそれぞれは、パックの内容物、ブランクまたはバンドル包装体１０を収容するためのポケット１７、１８を具備する。現具体例では、劃折り曲げタレット１５、１６が、互いに等角度ずつ離間して外周に沿って設けられた径方向を向く３つのポケット１７、１８を備えている。
【００１１】
製造プロセスは、水平方向軸を中心に回転する上部の折り曲げタレット１５の区域で開始される。いずれも水平方向を向くポケット１７が一つの挿入ステーション１９内に配置される。水平面のプラットフォームには包装体の内容物すなわち、互いに上下に重なって２列をなして配列されたシガレットパック１１のグループが待機保持される。このように形成されたパックグループ１２は、スライド２１によって、プラットフォームから待機ポケット１７内に押し出される。外側包装材１４を形成するのに使用されるブランク１３は、挿入方向を横断して待機する。ブランク１３は、通常の態様でパックグループ１２によって連行され、この間にＵ字状に折り曲げられてパックグループと一緒にポケット１７内に押し込まれる。この挿入プロセスは、上型の部品と下型の部品とで形成されたマウスピース４６によって好都合に行われる(図２)。
【００１２】
パックグループ１２とブランク１３とをポケット１７内に挿入する間に、挿入方向前側に位置して、パックの内容物を越えて横方向に突出するコーナーフラップ２２が折り曲げられる。これらの横方向コーナーフラップ２２のための折り曲げ部材として機能する部材が、挿入ステーション１９の区域に固定位置に設けられた側部折り曲げ部材２４である。これらは、折り曲げタレット１５の両側における直角な部材、特定すれば、ポケット１７の連続部分として、配置される。ブランク１３が、パックの内容物とともにポケット内に挿入されるとき、コーナーフラップ２２が、ポケットの連続部分として延出する側部折り曲げ体の側部折り曲げ部材２４の脚部２５によって、パックグループ１２の端面に向かって折り曲げられる。
【００１３】
パックグループ１２とブランク１３とがポケット１７内に挿入された後、折り曲げタレット１５は、関係するポケット１７が折り曲げステーション２６の区域に移動するように１ストロークで回転される。前記ステーションの区域において、横方向を向く折り曲げフラップ、すなわち、端部フラップ２７と２８が折り曲げられる。端部フラップ２７、２８は、‐コーナーフラップ２２に沿って‐バンドル包装体１０の横方向に向く両端部壁を形成する。このプロセスにおいて、重なったとき内側になる短い方の端部フラップ２７が、固定的にマウントされた回動可能な折り曲げ部材すなわち折り曲げプレート２９によって、折り曲げ位置に移動される。この折り曲げプレートは枢動レバー３０に配置され、これによって付勢される(図１参照)。折り曲げ移動の方向は、矢印３１によって指示される。この折り曲げ位置は、特に、図５に示される。
【００１４】
折り曲げタレット１５が、その移動を続行するので、重なったとき外側になる第二の端部フラップ２８が、特定すれば、折り曲げタレット１５の片側にある固定された扇形状の外側案内部材３２によって折り曲げられる。この円盤状の折り曲げ部材は、折り曲げタレット１５の相対的移動によって端部フラップ２８を折り曲げ位置に移動し(図６参照)、この折り曲げ位置において両端部フラップ２７、２８を固定する。端部フラップ２７、２８は、適当なポイントに接着剤を有するので、端部フラップ２７、２８は、図６の位置において互いに接着される。
【００１５】
追加的な折り曲げフラップすなわち外周面の開放側においてポケット１７から突出する長手方向フラップ３３、３４は、折り曲げタレット１５第三のステーションすなわち転送ステーション３５において折り曲げられる。ここには、その接線方向面の区域に、移動可能な折り曲げ部材３６、３７が設けられており、これらが、２つの折り曲げタレット１５、１６の接線方向に移動することによって、最初に径方向フラップ３３、３４をこれらが閉じる位置に折り曲げる。その後、この限りにおいて完成したバンドル包装体１０はタレット１５から押し出され、折り曲げタレット１６の向き合うポケット１８によって収容される。折り曲げタレット１６は、バンドル包装体１０を放出ステーション３８に移送する。
【００１６】
折り曲げタブを折り曲げるとき、折り曲げられたエッジ部の正確な、特に、直角な断面を創り出すために特別な支持部材が提供される。現模範具体例においては、これらの部材は端部面の折り曲げフラップすなわち端部フラップ２７、２８を折り曲げる過程において機能する。この点は、包装対象であるシガレットパック１１が、直立した丸いエッジ部３９を備える丸いコーナーのパックに作られることを考慮に入れている。このように、外側のシガレットパック１１または端部壁に隣接するシガレットパック１１は、端部フラップ２７、２８が折り曲げられるとき、これらに適切な形状を付与するための内側支持部材として機能することができない。各ポケット１７は、折り曲げ補助部材として、エッジ部支持部材４０、４１を備える。前記エッジ部支持部材４０、４１は、鋭い(上下の)折り曲げエッジ部４２、４３を備える薄く仕切られた細長い部材である。エッジ部支持部材４０、４１の隣り合うこれらの外側面は、削ぎ落とされ、すなわち、テーパが付されて鋭いエッジ部となっている。２つのエッジ部支持部材４０、４１は、横方向の両端部壁の設計に一致して、上下の包装体エッジ部４４、４５の形を付与するために設けられる。エッジ部支持部材４０、４１は、そうするために、折り曲げフラップ、すなわち、端部フラップ２７、２８が折り曲げエッジ部４２、４３の周囲に折り曲げられるように配置される。この折り曲げプロセスの後、端部フラップ２７、２８は、エッジ部支持部材４０、４１の外側に配置される(図６参照)。
【００１７】
現模範具体例においては、薄い仕切りをなすエッジ部支持部材４０、４１はポケット１７の横方向の境界を形成する。入り口側から或る距離を置いた区域において、ウエブ状のエッジ部支持部４０、４１は、横断方向のウエブ４６によって互いに接続される。したがって、これらのエッジ部支持部材４０、４１は、この横断方向ウエブ４６と一緒に、ポケット１７のフォーク状の横方向境界を形成する。
【００１８】
他の特徴は、弾性変形するエッジ部支持部材４０、４１が、挿入ステーションにおいて、開口された漏斗状の状態に移行する点である(図３参照)。このことは、パックグループ１２をブランク１３と一緒にポケットに挿入するのに好都合である。このプロセスにおいて、側部折り曲げ部材２４すなわちポケット１７に向くその脚部２５が、エッジ部支持部材４０、４１の自由端部区域がこのステーションにおいて対向して接する支持部材として機能する(図３参照)。
【００１９】
エッジ部支持部材４０、４１を、この開口状態または側部折り曲げ部材２４と対向して接触するように移動させるために、定形部片４７が、折り曲げタレット１５の回転方向から眺めて挿入ステーション１９の前側に設けられる(図２)。挿入ステーション１９に進入する前に、エッジ部支持部材４０、４１の対応する端部区域は楔形状を呈する定形部片４７に導かれる。前記定形部片４７は、このために挿入ステーション１９の下に配置される(図２参照)。この案内移動のために、エッジ部支持部材４０、４１は、外側を向くように形成されており、脚部２５と付随的に接触することによって、この状態を維持する(図３)。ポケット１７が挿入ステーション１９を去るとき、エッジ部支持部材４０、４１は、脚部２５から引き戻された後、それらの正規の状態に復帰する(図５、図６参照)。この状態において前記支持部材４０、４１は、後続する折り曲げステーション２６の区域において、それらの機能を遂行する。
【００２０】
このようにして、エッジ部支持部材４０、４１は、挿入ステーション１９における状態に導かれ、転送ステーション３５に至るまでこの状態を維持する。バンドル包装体１０がポケットから押し出されるので、エッジ部支持部材４０、４１もまた、それらの支持位置すなわちバンドル包装体１０から退去するので、バンドル包装体１０はエッジ部支持部材４０、４１から自由になり、正確に折り曲げられた包装体エッジ部４４、４５を備えて折り曲げタレット１６に転送される。
【００２１】
他の折り曲げフラップもまた、対応する包装体の設計構造を備える折り曲げ指示部材を援用して折り曲げられることができる。
【図面の簡単な説明】
【図１】シガレット用のバンドル包装体製造装置の概略的側面図。
【図２】図１の装置の細部、すなわち、ポケットの拡大側面図。
【図３】図２のIII‐III断面に沿うポケットを通る水平断面図。
【図４】図３のIV‐IV断面においてポケットの一部を通過する横断方向断面図。
【図５】バンドル包装体の製造工程において、位置が変化した図４の細部。
【図６】バンドル包装体が製造された後、それがポケットから放出される前の図４、図５の細部。
【符号の説明】
１０…包装体，１２…パック，１５…折り曲げタレット，１７…ポケット，１９…挿入ステーション，２７，２８…端部フラップ，４０，４１…エッジ部支持部材，４４，４５…包装体のエッジ部，４６…横断方向ウエブ，４７…定形部片。
【図１】
0004519329.tif 000002
【図２】
0004519329.tif 000003
【図３】
0004519329.tif 000004
【図４】
0004519329.tif 000005
【図５】
0004519329.tif 000006
【図６】
0004519329.tif 000007